(57)【特許請求の範囲】
【請求項１】
内側載せ台と重なり合ったときに抜け落ちないように係止する係止部を有する生体計測重量装置の外側載せ台において、前記係止部の少なくとも一箇所以上を前記外側載せ台の母体となる母体部に配設する部品に備えたことを特徴とする生体計測重量装置の外側載せ台。
【請求項２】
前記外側載せ台の母体となる母体部に配設する部品は、計測開始するためのスイッチ部の外枠であるスイッチ蓋であることを特徴とする請求項１記載の生体計測重量装置の外側載せ台。
【請求項３】
前記係止部は、前記外側載せ台に対向して有し、対向する一方側を前記母体部に、対向する他方側を前記スイッチ蓋に形成することを特徴とする請求項２記載の生体計測重量装置の外側載せ台。
【発明の詳細な説明】
【０００１】
【発明の属する技術分野】
本発明は、内側と外側の二重構造の載せ台に人が載ることにより体重や体脂肪率や重心動揺等の生体情報を計測する生体計測重量装置の外側載せ台に関する。
【０００２】
【従来の技術】
従来、生体計測重量装置の中の一種に、載せ台に人が載ることにより体重や体脂肪率を計測する体脂肪計付き体重計がある。図４は従来の体脂肪計付き体重計の載せ台であり、図４（ａ）は側面図、図４（ｂ）は裏面図を示す。また、図５は図４の断面Ｂ−Ｂ矢視図である。これら図４、図５に示すように、体脂肪計付き体重計の載せ台は、内側載せ台２１と外側載せ台２２の二重構造である。内側載せ台２１は、圧延鋼板をプレス成形することにより作られ、積載板２３の裏側の周囲に側板２４を形成し、被計測者が載っても永久変形することない強度を有している。また、外側載せ台２２は、内側載せ台２１と重なる母体となる母体部２７と、生体インピーダンスを計測するための電極３９と、計測を開始するためのスイッチ部３１からなっている。
【０００３】
そして、母体部２７は、樹脂を射出成形することにより作られ、積載板２５の裏側の周囲に側板２６を形成し、外観を美しくみせるための外装の役目をしている。また、積載板２５の裏側には内側載せ台２１と重なったときに、内側載せ台２１との間で水平方向にずれを起こさないようにリブ３０を形設している。更に、このリブ３０の先端部分の要所に内側載せ台２１が垂直方向に抜け落ちないように係止する係止部３３を形設している。電極３９は積載板２５の表側に、スイッチ部３１は母体部２７の側板２６から裏側にかけて配設している。また、スイッチ部３１は、スイッチ蓋３４、基板３５、スイッチ本体３６、二重コイルバネ３７、釦３８等により構成している。
【０００４】
【発明が解決しようとする課題】
しかし、上述の外側載せ台２２の母体部２７に形設するリブ３０の係止部３３は、成形時において、母体部２７を金型から取り出す際に、金型の開閉方向（図４の矢印Ｄ方向）に対して引っかかりとなる部分、すなわち、アンダーカットである。したがって、母体部２７を成形する際の金型は、金型の開閉方向と直交する方向（図４の矢印Ｃ方向）にスライドコアを移動させるような複雑な構造にしなければならなかった。したがって、母体部２７を成形する際の金型が高価なものであった。
【０００５】
そこで、本発明は、上記のような従来の問題点を解決することを目的とするもので、外側載せ台の製作にかかる金型コストを軽減することができる生体計測重量装置の外側載せ台を提供することを課題とする。
【０００６】
【課題を解決するための手段】
内側載せ台と重なり合ったときに抜け落ちないように係止する係止部を有する生体計測重量装置の外側載せ台において、前記係止部の少なくとも一箇所以上を前記外側載せ台の母体となる母体部に配設する部品に備える。外側載せ台の母体部に配設する部品に係止部を備えることで、母体部に形設する係止部の箇所が減り、その箇所分の金型のスライドコアを移動させる構造をなくすことができる。一方、外側載せ台の母体部に配設する部品は、係止部を備えても係止部を備える前と同様な金型で製作できる。したがって、総合的に外側載せ台を製作するための金型コストを廉価なものとすることができる。
【０００７】
更に、前記外側載せ台の母体部に配設する部品は、計測開始するためのスイッチ部の外枠であるスイッチ蓋とする。もともと外側載せ台の母体部の裏側かけて形成されているスイッチ部の外枠であるスイッチ蓋に係止部を備えることは、もっとも効率的に母体部のリブに形設する係止部の代用を図ることができる。
【０００８】
【発明の実施の形態】
以下、実施の形態を図面に基づき説明する。まず、第一の実施の形態について詳述する。図１は生体計測重量装置の載せ台であり、図１（ａ）は側面図、図１（ｂ）は裏面図を示す。また、図２は図１の断面Ａ−Ａ矢視図である。本発明の生体計測重量装置の外側載せ台２は、内側載せ台１と重なる母体となる母体部２８と、生体インピーダンスを計測するための電極１７と、計測を開始するためのスイッチ部１１からなる。
【０００９】
母体部２８は、人が載る部分である積載板５と、この積載板５の裏側の周囲に形成する側板６と、内側載せ台１と重なり合ったときに水平方向にずれを起こさないように積載板５の裏側に形設するリブ７、８、９、１０と、スイッチ部１１の近くに位置するリブ７の先端部分でスイッチ部１１から離れた箇所に内側載せ台１と重なり合ったときに垂直方向に抜け落ちないように係止する係止部１５と、スイッチ部１１と離れたところに位置するリブ９の先端部分の要所に内側載せ台１と重なり合ったときに垂直方向に抜け落ちないように係止する係止部１３を形設する。
【００１０】
電極１７は積載板５の表側に配設している。
【００１１】
スイッチ部１１は母体部２８の側板６から裏側にかけて配設している。そして、その構造は、公知の技術からなり、例えば特開平１０−３２６５３４号公報に開示されているような形態であるので詳細な説明は省略するが、このスイッチ部１１の外枠をなすスイッチ蓋１４については外側載せ台２の母体部２８の裏側にかかるように形成する。そして、母体部２８の裏側にかかるスイッチ蓋１４の先端部分には、内側載せ台１と重なり合ったときに垂直方向に抜け落ちないように係止する係止部１２を形設する。
【００１２】
内側載せ台１と外側載せ台２とを重ね合わせるには、スイッチ部１１を配設した状態の外側載せ台２の係止部１２、１３、１５の部分を外側に押し広げながら、外側載せ台２のリブ７、８、９、１０に囲まれた内側に内側載せ台１を入れ込む。外側載せ台２の係止部１２、１３、１５部分を外側に押し広げることにより、外側載せ台２の積載板５や側板６やリブ７、８、９、１０の部分がたわみ、外側載せ台２の係止部１２、１５と係止部１３との間隔が内側載せ台１の外形幅よりも広がり、内側載せ台１を入れ込むことができる。
【００１３】
内側載せ台１の積載板３の裏側の周囲に形成する側板４のうち、相対する側板の端面の一方をリブ９の係止部１３で係止し、他方をリブ７の係止部１５とスイッチ蓋１４の係止部１２で係止するので外側載せ台２と内側載せ台１とは抜け落ちないものとなる。
【００１４】
外側載せ台２の母体部２８のリブ７に形設する一部の係止部をスイッチ蓋１４に形設することで、母体部２８を成形するための金型のスライドコアを移動させる構造部分の軽減が図ることができる。
【００１５】
なお、内側載せ台１と外側載せ台２とを重ね合わせるには、スイッチ部１１を配設しない状態、すなわち、スイッチ部１１の外枠をなすスイッチ蓋１４を取り付ける前の外側載せ台２の母体部２８に、母体部２８の係止部１３、１５の部分を外側に押し広げながら、母体部２８のリブ７、８、９、１０に囲まれた内側に内側載せ台１を入れ込み、後からスイッチ部１１の外枠をなすスイッチ蓋１４を取り付けてもよい。
【００１６】
次に、第二の実施の形態について詳述する。図３は、別形態の生体計測重量装置の載せ台であり、図３（ａ）は側面図、図３（ｂ）は裏面図を示す。本発明の生態計測重量装置の外側載せ台４７は、内側載せ台４６と重なる母体となる母体部２９と、生体インピーダンスを計測するための電極１８と、計測を開始するためのスイッチ部５１からなる。
【００１７】
第一の実施の形態の説明でした生体計測重量装置の外側載せ台２とほぼ同様の構成であるが、外側載せ台４７の母体部２９に形設するリブ４１、４２、４３、４４のうち、スイッチ部５１と離れたところに位置するリブ４３の先端部分の要所にだけ係止部５５を形設するところと、釦５８を複数有するスイッチ部５１のスイッチ蓋５４の先端部分の要所に複数の係止部５２を形設するところが異なる。
【００１８】
内側載せ台４６と外側載せ台４７とを重ね合わせるには、スイッチ部５１を配設した状態の外側載せ台４７の係止部５２、５５の部分を外側に押し広げながら、外側載せ台４７のリブ４１、４２、４３、４４に囲まれた内側に内側載せ台４６を入れ込めばよい。
【００１９】
内側載せ台４６の側板４９のうち、側板の相対する端面の一方をリブ４３の係止部５５で係止し、他方をスイッチ蓋５４の係止部５２で係止するので外側載せ台４７と内側載せ台４６とは抜け落ちないものとなる。
【００２０】
外側載せ台４７の母体部２９のリブ４１に形設する全ての係止部をスイッチ蓋５４に形設することで、母体部２９を成形するための金型のスライドコアを移動させる構造部分の軽減をより図ることができる。
【００２１】
なお、内側載せ台４６と外側載せ台４７とを重ね合わせるには、スイッチ部５１を配設しない状態、すなわち、スイッチ部５１の外枠をなすスイッチ蓋５４を取り付ける前の外側載せ台４７の母体部２９に、母体部２９の係止部５５の部分を外側に押し広げながら、母体部２９のリブ４１、４２、４３、４４に囲まれた内側に内側載せ台４６を入れ込み、後からスイッチ部５１の外枠をなすスイッチ蓋５４を取り付けてもよい。
【００２２】
本発明は、外側載せ台に配設する部品を他にも設けているような形態の外側載せ台であれば、更にリブに形設する係止部を外側載せ台に配設する部品に形設でき、金型コストの軽減につなげることができる。
【００２３】
【発明の効果】
本発明の生体計測重量装置の外側載せ台は、外側載せ台の母体部のリブに形設する係止部を、外側載せ台の母体部に配設する部品に形設したことにより、母体部を成形するための金型のスライドコアを移動させる構造部分が軽減し、外側載せ台の製作にかかる金型コストが廉価なものとなる。また、もともと外側載せ台の裏側かけて形成されているスイッチ部の外枠であるスイッチ蓋に係止部を備えることで、もっとも効率的に母体部のリブに形設する係止部の代用を図ることができ、外側載せ台の製作にかかる金型コストが廉価なものにできる。
【図面の簡単な説明】
【図１】生体計測重量装置の載せ台であり、（ａ）は側面図、（ｂ）は裏面図を示す。
【図２】図１の断面Ａ−Ａ矢視図である。
【図３】別形態の生体計測重量装置の載せ台であり、（ａ）は側面図、（ｂ）は裏面図を示す。
【図４】従来の体脂肪計付き体重計の載せ台であり、（ａ）は側面図、（ｂ）は裏面図を示す。
【図５】図４の断面Ｂ−Ｂ矢視図である。
【符号の説明】
１、２１、４６  内側載せ台
２、２２、４７  外側載せ台
３、５、２３、２５  積載板
４、６、２４、２６、４９  側板
７、８、９、１０、３０、４１、４２、４３、４４  リブ
１１、３１、５１  スイッチ部
１２、１３、１５、３３、５２、５５  係止部
１４、３４、５４  スイッチ蓋
２７、２８、２９  母体部
３５  基板
３６  スイッチ本体
３７  二重コイルバネ
３８、５８  釦
１７、１８、３９  電極
【図１】
0003688187.tif 000002
【図２】
0003688187.tif 000003
【図３】
0003688187.tif 000004
【図４】
0003688187.tif 000005
【図５】
0003688187.tif 000006